(57)【要約】【課題】塗布作業が容易であるとともに簡素な構成で安価な消毒液塗布器具を提供する。【解決手段】消毒液塗布器具１は、消毒液が充填され、軟性素材から形成される容器３０と、容器３０の開口部に固定される連結部材２０と、連結部材２０に設置され、消毒液を患者の皮膚に塗布する塗布部材と、を備える。連結部材２０は容器３０の開口部から連通する開口部を有しており、連結部材２０の開口部を埋めるように塗布部材が設置され、塗布部材は、消毒液が浸透する多孔質部１１と、容器３０の開口部の縁と連結部材２０とで狭持されるフランジ部と、を有する。【選択図】図１
0003199436.tif 000002
【実用新案登録請求の範囲】
【請求項１】
消毒液が充填され、軟性素材から形成される容器と、
前記容器の開口部に固定される連結部材と、
前記連結部材に設置され、前記消毒液を患者の皮膚に塗布する塗布部材と、を備え、
前記連結部材は前記容器の開口部から連通する開口部を有しており、前記連結部材の開口部を埋めるように前記塗布部材が設置され、
前記塗布部材は、前記消毒液が浸透する多孔質部と、前記容器の開口部の縁と前記連結部材とで狭持されるフランジ部と、を有する、
ことを特徴とする消毒液塗布器具。
【請求項２】
前記塗布部材が前記フランジ部を有する凸形状に一体的に形成されており、
前記塗布部材の凸部が前記連結部材の開口部に挿入されている、
ことを特徴とする請求項１に記載の消毒液塗布器具。
【請求項３】
前記塗布部材が、円柱状に形成された前記多孔質部と、前記連結部材の開口部を通じて前記多孔質部に刺さって固定される前記フランジ部と、から構成される、
ことを特徴とする請求項１に記載の消毒液塗布器具。
【請求項４】
前記多孔質部がセルロース製又はウレタン製のスポンジから構成されている、
ことを特徴とする請求項１乃至３のいずれか一項に記載の消毒液塗布器具。
【請求項５】
更に、前記連結部材に取り付けられて前記容器を内包するカバーを備え、
前記カバーは密閉可能な開閉機構を有している、
ことを特徴とする請求項１乃至４のいずれか一項に記載の消毒液塗布器具。
【考案の詳細な説明】
【技術分野】
【０００１】
本考案は、消毒液塗布器具に関する。
【背景技術】
【０００２】
手術や外科的処置においては、創の汚染や細菌感染を防止するため、まず、患者の切開する部位周辺の消毒が行われる。例えば、開胸術等では、胸部から腹部にかけて全域を消毒する。現状、消毒は以下のようにして行われている。まず、トレイに消毒液を入れ、これに鉗子等で把持した綿球等を浸漬させる。そして、消毒液を浸透させた綿球等で患者の皮膚に塗布し、消毒する。
【０００３】
このような消毒手法においては、患者に塗布するにつれて綿球等から消毒液がなくなるので、その都度、綿球等を消毒液に浸漬させなければならず、消毒に時間と手間がかかっていた。また、綿球等から徐々に消毒液が出ていくので、かすれ等、塗りムラが生じる。このため、どこまで消毒されているか把握し難く、消毒が不十分な部位が生じるおそれもあった。更には、トレイに過剰に消毒液を入れて準備していることから、使用されなかった消毒液は再利用できないとともに、どれ位の消毒液が必要であったか把握することもできず、消毒液が無駄に消費されてしまっていた。
【０００４】
このようなことから、連続的に消毒液を塗布可能な塗布器具が提案されている（例えば、特許文献１−３）。
【０００５】
特許文献１の患部消毒液塗布装置は、貯留室と、注入管を通じて消毒液を供給する給液部とを有している。貯留室の底部には滴下用開口部があり、ハケ状の滴下ガイドに通じている。貯留室の消毒液が滴下ガイドにゆき、滴下ガイドにより患者に消毒液が塗布される構造である。
【０００６】
また、特許文献２の塗布装置は、塗布用パッドに結合され消毒用薬剤を溜めるための貯留容器と、貯留容器と塗布用パッドとの間に介在され壊すことのできる膜とを有している。
【０００７】
また、特許文献３の液体塗布具は、筒状の本体部と、本体部の一方の端部に装着された薬液を含浸する多孔質体と、他方の端部に嵌合されたスリットを有するキャップとからなる外容器と、摘み部を有する蓋材にてシールされ薬液が封入された内容器とから構成されている。そして、内容器が本体部に収納され、摘み部がキャップの方向に折り返され、スリットを通じて外容器の外側に飛び出している。
【先行技術文献】
【特許文献】
【０００８】
【特許文献１】特開２００４−２９０３９４号公報
【特許文献２】特表２０１３−５０４４０４号公報
【特許文献３】特開２０１３−２３２７１号公報
【考案の概要】
【考案が解決しようとする課題】
【０００９】
特許文献１の塗布器具では、患者への塗布部を備える貯留室への消毒液の給液は、貯留室につながれた注入管を通じて給液部から行われる。貯留室と給液部とが別体式であるとともに注入管が存在することから、患者に塗布する際の塗布作業が煩わしいという問題がある。
【００１０】
また、特許文献２、３の塗布器具は、いずれも構造が複雑であり、製造コストが高くなってしまうという問題がある。
【００１１】
本考案は、上記事項に鑑みてなされたものであり、その目的とするところは、塗布作業が容易であるとともに簡素な構成で安価な消毒液塗布器具を提供することにある。
【課題を解決するための手段】
【００１２】
本考案に係る消毒液塗布器具は、
消毒液が充填され、軟性素材から形成される容器と、
前記容器の開口部に固定される連結部材と、
前記連結部材に設置され、前記消毒液を患者の皮膚に塗布する塗布部材と、を備え、
前記連結部材は前記容器の開口部から連通する開口部を有しており、前記連結部材の開口部を埋めるように前記塗布部材が設置され、
前記塗布部材は、前記消毒液が浸透する多孔質部と、前記容器の開口部の縁と前記連結部材とで狭持されるフランジ部と、を有する、
ことを特徴とする。
【００１３】
また、前記塗布部材が前記フランジ部を有する凸形状に一体的に形成されており、
前記塗布部材の凸部が前記連結部材の開口部に挿入されていてもよい。
【００１４】
また、前記塗布部材が、円柱状に形成された前記多孔質部と、前記連結部材の開口部を通じて前記多孔質部に刺さって固定される前記フランジ部と、から構成されていてもよい。
【００１５】
また、前記多孔質部がセルロース製のスポンジから構成されていることが好ましい。
【００１６】
更に、前記連結部材に取り付けられて前記容器を内包するカバーを備え、
前記カバーは密閉可能な開閉機構を有していてもよい。
【考案の効果】
【００１７】
本考案に係る消毒液塗布器具は、塗布作業が容易であるとともに簡素な構成であり、安価に提供することができる。
【図面の簡単な説明】
【００１８】
【図１】実施の形態１に係る消毒液塗布器具の外観を示す斜視図である。
【図２】実施の形態１に係る消毒液塗布器具の内部構成を示す断面図である。
【図３】塗布部材を連結部材に設置する様子を示す斜視図である。
【図４】実施の形態１に係る消毒液塗布器具の使用状態を示す断面図である。
【図５】塗布部材を連結部材に設置する様子を示す斜視図である。
【図６】他の形態に係る連結部材に設置された塗布部材の斜視図である。
【図７】他の形態に係る塗布部材の斜視図である。
【図８】図８（Ａ）〜（Ｃ）は、塗布部材の製造工程を示す断面図である。
【図９】実施の形態２に係る消毒液塗布器具の内部構成を示す断面図である。
【図１０】図１０（Ａ）は、保持部材の形成前における平面図、図１０（Ｂ）は図１０（Ａ）のＡ−Ａ’断面図である。
【図１１】図１１（Ａ）は、保持部材の形成後における平面図、図１１（Ｂ）は図１１（Ａ）のＡ−Ａ’断面図である。
【図１２】塗布部材を連結部材に設置する様子を示す斜視図である。
【考案を実施するための形態】
【００１９】
（実施の形態１）
実施の形態１に係る消毒液塗布器具１は、図１、２に示すように、塗布部材１０、連結部材２０、容器３０、カバー４０を備える。
【００２０】
塗布部材１０は、多孔質部１１とフランジ部１２とを備える。この塗布部材１０は、円柱状のフランジ部１２の一方の面からフランジ部１２よりも小径である円柱状の多孔質部１１が凸状に形成されている。フランジ部１２の径は、連結部材２０の開口部の径より大きく、連結部材２０のネジ溝が形成される内周の径より小さく形成される。また、多孔質部１１の径は連結部材２０の開口部の径とほぼ同じに設定される。
【００２１】
多孔質部１１は、患者の皮膚に接触して、容器３０に充填されている消毒液を患者に塗布する機能を有する。多孔質部１１は消毒液を吸液しやすいとともに、塗布する際に排出しやすい特性が要求される。また、患者の皮膚に接する部位であることから、肌触りがよいことが要求される。このような素材として、例えば、ウレタン製、セルロース製等のスポンジやフェルト、不織布などが挙げられる。
【００２２】
フランジ部１２は、容器３０の開口部の縁と連結部材２０とで狭持され、塗布部材１０が固定される役割を有する。
【００２３】
塗布部材１０は、多孔質部１１とフランジ部１２とが一体的に形成された部材であり、例えば、フランジ部１２と同径の円柱状の部材について、多孔質部１１となる箇所の周面を切削等により除去してフランジ部１２と多孔質部１１とが一体的に形成されていてもよい。また、円柱状のフランジ部１２及び多孔質部１１が別々の部材であり、フランジ部１２と多孔質部１１が同心円上に位置するよう接着剤等により接着されて一体的に形成されていてもよい。なお、接着剤等で接着される場合、部分的に接着するなどフランジ部１２から多孔質部１１への浸透性が損なわれないよう行われる。
【００２４】
連結部材２０は、容器３０に連結し、塗布部材１０を容器３０に固定する機能を有する。連結部材２０は、一方の底面がなく、他方の底面の中央部が円形状に開口された略円管状の部材である。連結部材２０の内周面には、螺旋状にネジ溝が形成されている。
【００２５】
連結部材２０へのこの塗布部材１０の設置は、図３に示すように、フランジ部１２から突出している多孔質部１１を連結部材２０の開口部に挿入することで行うことができる。
【００２６】
容器３０は、消毒薬が充填される容器である。容器３０の開口部は、連結部材２０と連結する部位であり、その開口部の外周面には、連結部材２０のネジ溝に応じたネジ山が螺旋状に形成されている。容器３０は、軟性樹脂等、手で容易に押しつぶすことが可能な軟性素材から形成される。また、容器３０は、充填される消毒液の量を視認可能な目盛りが付されている。そして、容器３０は、充填される消毒液を視認できるよう、無色透明或いは有色透明な透光性を有する素材から形成されている。
【００２７】
カバー４０は、容器３０を収容する。カバー４０は、連結部材２０の周面に固定部材４２によって固定されている。固定部材４２は、カバー４０を連結部材２０に固定可能であればどのような形態であってもよく、例えば、ゴム等の弾性樹脂が挙げられる。そして、カバー４０の固定部材４２の反対側は、開閉機構４１を有しており、ここから容器３０の出し入れを行うことができる。開閉機構４１は、閉じた際に、カバー４０内を密閉可能に構成されている。カバー４０についても、内包される容器３０を視認できるよう無色透明或いは有色透明な透光性を有する素材から形成される。
【００２８】
また、上述した塗布部材１０、連結部材２０、容器３０及びカバー４０は滅菌処理が施されている。このため、消毒液塗布器具１を用いて患者に消毒液を塗布しても、消毒液塗布器具１によって患者の創の汚染や細菌感染がおこることが防止される。
【００２９】
本実施の形態に係る消毒液塗布器具１は、まず、容器３０に消毒液を充填し、カバー４０の開閉機構４１を開けてカバー４０内に容器３０を入れる。そして、容器３０と連結部材２０とを連結する。
【００３０】
そして、作業者がカバー４０を介して容器３０を把持し、多孔質部１１を下方に向け、患者の皮膚に接触させ摺動させる。容器３０内の消毒液が多孔質部１１に浸透するとともに、患者の皮膚に接触している面から排出され、患者の皮膚に消毒液が塗布される。
【００３１】
塗布部材１０が消毒液の吸収及び排出に優れているため、容器３０内に充填されている消毒液が滞りなく患者に塗布される。更には、容器３０が軟質樹脂等で形成されているので、作業者が握ると、その力によって容器３０の内容積が小さくなるように変形するので、図４に示すように、容器３０内の消毒液の排出を促進させることができる。消毒液を滞りなく多量に排出することができるため、患者の皮膚を洗い流すように消毒することができる。このように患者の皮膚を洗い流すことにより、毛根の内部にまで消毒液が入り込み、毛根内部の雑菌を死滅させることができる。また、作業者は片手で消毒液塗布器具１を持って塗布することができるので、作業性にも優れる。
【００３２】
このため、消毒液塗布器具１を用いた消毒手法では、多量の消毒液を排出できるので、従来の綿球を用いた消毒手法に比べて、消毒液の塗布ムラが生じにくく、消毒がされていない箇所が生じる危険性が小さい。また、作業性にも優れるので、作業時間の短縮を成し得る。更には、必要量の消毒液を容器３０に充填して使うことができ、消毒液に要するコストも低減できる。
【００３３】
また、消毒液塗布器具１は簡素な構成であり、低コストで製造できるので安価に提供することができる。
【００３４】
なお、上記では、フランジ部１２がはじめから形成された塗布部材１０を用いた例について説明したが、図５に示すように、凹凸のない円柱状の塗布部材１０を用い、多孔質部１１となる箇所について周面を中心方向に押圧してかしめ、小径にした状態で連結部材２０の開口を通過させた形態であってもよい。
【００３５】
また、多孔質部１１の形状は円柱形状に限られず、図６に示すように、４角柱形状などの多角形状であってもよい。
【００３６】
また、図７に示すように、塗布部材１０のフランジ部１２に、硬質樹脂等から形成される環状のプレート１５で補強された形態であってもよい。この塗布部材１０は、例えば、図８（Ａ）に示すように、環状の内刃５１と外刃５２が同軸上に配置され、内刃５１と外刃５２の間に超音波溶着ヘッド５２が配置され、内刃５１の内側にプランジャ５４を備えた塗布部材製造装置５０を用いて製造することができる。
【００３７】
図８（Ａ）に示すように、多孔質部材１１ａの上にプレート部材１５ａを積層配置する。そして、内刃５１、外刃５２及び超音波溶着ヘッド５３を下降させる。図８（Ｂ）に示すように、内刃５１及び外刃５２により、プレート部材１５ａ及び多孔質部材１１ａが切断されるとともに、超音波溶着ヘッド５３により、プレ−ト部材１５ａと多孔質部材１１ａが超音波溶着される。なお、多孔質部材１１ａは超音波溶着により溶解していくので薄くなってゆく。
【００３８】
ついで、プランジャ５４が下降して押し出することにより、図８（Ｃ）に示すように、フランジ部１２にプレート１５が一体的に形成された塗布部材１０が得られる。
【００３９】
また、連結部材２０と容器３０とがネジ山、ネジ溝による螺合によって、固定される形態について説明したが、連結部材２０と容器３０との間から消毒液が漏れなければ、固定形態はこれに限られない。
【００４０】
また、市販の消毒液入り容器がある場合、この消毒液入り容器の開口部が連結部材２０と連結可能であれば、消毒液塗布器具１は、容器３０を備えていなくてもよい。消毒液入り容器のカバー４０内に入れて連結部材２０に連結して使用することができる。この場合、カバー４０は滅菌されているとともに、開閉機構４１により密閉されるので、消毒液入り容器が滅菌されていなくてもよい。
【００４１】
（実施の形態２）
実施の形態２に係る消毒液塗布器具２は、図９に示すように、塗布部材１０、連結部材２０、容器３０、カバー４０を備える。消毒液塗布器具２は、上述した実施の形態１とは、塗布部材１０及び連結部材２０が異なり、その他は同様である。
【００４２】
実施の形態２に係る塗布部材１０は、多孔質部１１と保持部材１４とから構成されている。保持部材１４は多孔質部１１を連結部材２０に固定して保持する機能を有する。保持部材１４はフランジ部１２及び固定部１３を有している。
【００４３】
保持部材１４は、例えば、図１０に示すように、円形の板状部材から形成される。連結部材２０の内径よりも小さい円形の板状部材の中心から放射状に切り込みを入れ、面方向に突出させることで、図１１に示すようにフランジ部１２及び固定部１３を有する保持部材１４が形成される。なお、固定部１３の付け根で描かれる円の径が連結部材２０の開口部の径以下になるよう調整される。
【００４４】
そして、図１２に示すように、連結部材２０の内側から固定部１３が連結部材２０の開口部を通過して突出するように入れ、連結部材２０から突出した固定部１３に円柱状の多孔質部１１を刺し込むことで、塗布部材１０が連結部材２０に固定される。
【００４５】
その他については上述した実施の形態１と同様であるため、説明を省略する。
【符号の説明】
【００４６】
１    消毒液塗布器具
２    消毒液塗布器具
１０    塗布部材
１１    多孔質部
１１ａ  多孔質部材
１２    フランジ部
１３    固定部
１４    保持部材
１５    プレート
１５ａ  プレート部材
２０    連結部材
３０    容器
３１    目盛
４０    カバー
４１    開閉機構
４２    固定部材
５０    塗布部材製造装置
５１    内刃
５２    外刃
５３    超音波溶着ヘッド
５４    プランジャ
【図１】
0003199436.tif 000003
【図２】
0003199436.tif 000004
【図３】
0003199436.tif 000005
【図４】
0003199436.tif 000006
【図５】
0003199436.tif 000007
【図６】
0003199436.tif 000008
【図７】
0003199436.tif 000009
【図８】
0003199436.tif 000010
【図９】
0003199436.tif 000011
【図１０】
0003199436.tif 000012
【図１１】
0003199436.tif 000013
【図１２】
0003199436.tif 000014